(57)【要約】【課題】  従来の電気泳動表示装置のリセット工程では、電気泳動素子に画像データに起因する残像を存在させない高い電圧を用いることから、電力の消費が大きかった。【解決手段】  本発明に係る電気泳動表示装置は、電気泳動素子に第１の画像、第２の画像を表示させる第１、第２の工程間で、電気泳動素子を残像が存在し得りかつ非表示である状態に設定するための第１の電圧を印加する第１のリセット工程と、電気泳動素子を残像が存在せずかつ非表示である状態に設定すべく、前記第１のリセット工程を行う頻度より低い頻度で、前記第１の電圧より高い第２の電圧を印加する第２のリセット工程とを含む。【選択図】  図１
2005283820.tif 000002
【特許請求の範囲】
【請求項１】
複数の電気泳動素子に第１の画像を表す第１の画像データを書き込むことにより前記複数の電気泳動素子に前記第１の画像を表示させる第１の書込工程と、前記複数の電気泳動素子に第２の画像を表す第２の画像データを書き込むことにより前記複数の電気泳動素子に前記第２の画像を表示させる第２の書込工程との間で、前記複数の電気泳動素子を、前記第１の工程での前記第１の画像データの書き込みに起因する残像が存在せずかつ非表示である第１の非表示状態に設定するための電圧である無残像非表示用電圧より小さい第１の電圧を前記複数の電気泳動素子に印加することにより、前記複数の電気泳動素子を前記残像が存在し得りかつ非表示である第２の非表示状態に設定する第１のリセット工程と、
前記複数の電気泳動素子を前記第１の非表示状態に設定すべく、前記第１のリセット工程を行う頻度より低い頻度で、前記無残像非表示用電圧である第２の電圧を前記複数の電気泳動素子に印加する第２のリセット工程とを含むことを特徴とする電気泳動表示装置の駆動方法。
【請求項２】
前記残像の消去の要否を判断する判断工程を更に含み、
前記判断工程で前記残像の消去が必要であると判断されるとき、前記第２のリセット工程を行うことを特徴とする請求項１記載の電気泳動表示装置の駆動方法。
【請求項３】
前記判断工程は、前記残像を視認することにより又は前記残像の有無を検出することにより行うことを特徴とする請求項２記載の電気泳動表示装置の駆動方法。
【請求項４】
複数の電気泳動素子と、
前記複数の電気泳動素子に第１の画像を表す第１の画像データを書き込むことにより前記複数の電気泳動素子に前記第１の画像を表示させる第１の書込みと、前記複数の電気泳動素子に第２の画像を表す第２の画像データを書き込むことにより前記複数の電気泳動素子に前記第２の画像を表示させる第２の書込みとの間で、前記複数の電気泳動素子を、前記第１の書込みに起因する残像が存在せずかつ非表示である第１の非表示状態に設定するための電圧である無残像非表示用電圧より小さい第１の電圧を前記複数の電気泳動素子に印加する第１のリセットを行い、前記複数の電気泳動素子を前記第１の非表示状態に設定すべく、前記第１のリセットを行う頻度より低い頻度で、前記無残像非表示用電圧である第２の電圧を前記複数の電気泳動素子に印加する第２のリセットを行う制御部とを含むことを特徴とする電気泳動表示装置。
【請求項５】
前記残像の消去が必要である旨を入力するための入力部を更に含み、
前記制御部は、前記入力部から前記残像の消去が必要である旨が入力されたとき、前記第２のリセットを行うことを特徴とする請求項４記載の電気泳動表示装置。
【請求項６】
複数の記憶性素子と、
前記複数の記憶性素子に第１の画像を表す第１の画像データを書き込むことにより前記複数の記憶性素子に前記第１の画像を表示させる第１の書込みと、前記複数の記憶性素子に第２の画像を表す第２の画像データを書き込むことにより前記複数の記憶性素子に前記第２の画像を表示させる第２の書込みとの間で、前記複数の記憶性素子を、前記第１の書込みに起因する残像が存在せずかつ非表示である第１の非表示状態に設定するための電圧である無残像非表示用電圧より小さい第１の電圧を前記複数の記憶性素子に印加する第１のリセットを行い、前記複数の記憶性素子を前記第１の非表示状態に設定すべく、前記第１のリセットを行う頻度より低い頻度で、前記無残像非表示用電圧である第２の電圧を前記複数の記憶性素子に印加する第２のリセットを行う制御部とを含むことを特徴とする記憶性表示装置。
【発明の詳細な説明】
【技術分野】
【０００１】
本発明は、電子書籍のような、記憶性素子を用いて画像を表示する記憶性表示装置に関し、特に、前記記憶性素子として電気泳動素子を用いる電気泳動表示装置、及び当該装置の駆動方法に関する。
【背景技術】
【０００２】
従来の電気泳動表示装置は、下記の特許文献１に記載のように、電気泳動素子に既に書き込まれている一の画像データに引き続き、新たに他の画像データを書き込むとき、当該書き込みに先立ち、前記電気泳動素子を、前記一の画像データに起因する残像が存在せずかつ非表示である状態に設定するというリセット工程を有する。
【０００３】
【特許文献１】特開２００２−１４９１１５号
【発明の開示】
【発明が解決しようとする課題】
【０００４】
しかしながら、上記した従来の電気泳動表示装置の前記リセット工程では、前記電気泳動素子に前記一の画像データに起因する残像を存在させないような比較的高い電圧を用いることから、電力の消費が大きいという問題があった。
【課題を解決するための手段】
【０００５】
本発明に係る電気泳動表示装置の駆動方法は、上記した従来の課題を解決すべく、複数の電気泳動素子に第１の画像を表す第１の画像データを書き込むことにより前記複数の電気泳動素子に前記第１の画像を表示させる第１の書込工程と、前記複数の電気泳動素子に第２の画像を表す第２の画像データを書き込むことにより前記複数の電気泳動素子に前記第２の画像を表示させる第２の書込工程との間で、前記複数の電気泳動素子を、前記第１の工程での前記第１の画像データの書き込みに起因する残像が存在せずかつ非表示である第１の非表示状態に設定するための電圧である無残像非表示用電圧より小さい第１の電圧を前記複数の電気泳動素子に印加することにより、前記複数の電気泳動素子を前記残像が存在し得りかつ非表示である第２の非表示状態に設定する第１のリセット工程と、前記複数の電気泳動素子を前記第１の非表示状態に設定すべく、前記第１のリセット工程を行う頻度より低い頻度で、前記無残像非表示用電圧である第２の電圧を前記複数の電気泳動素子に印加する第２のリセット工程とを含む。
【０００６】
本発明に係る電気泳動表示装置の駆動方法によれば、従来のリセット工程に相当する前記第１のリセット工程については、前記第１の電圧が、従来のリセット工程で用いられていた前記無残像非表示用電圧より低く、また、前記第２のリセット工程について、前記第２の電圧が、前記無残像非表示用電圧に等しく、しかも、当該第２のリセット工程の頻度が前記第１のリセット工程の頻度より低い。これにより、消費電力を従来の電気泳動表示装置より少なく抑えつつも、従来の電気泳動表示装置と同様に前記複数の電気泳動素子に残像が存在しないようにすることが可能となる。
【０００７】
上記した本発明に係る電気泳動表示装置の駆動方法では、前記残像の消去の要否を判断する判断工程を更に含み、前記判断工程で前記残像の消去が必要であると判断されるとき、前記第２のリセット工程を行う。
【０００８】
上記した本発明に係る電気泳動表示装置の駆動方法では、前記判断工程は、前記残像を視認することにより又は前記残像の有無を検出することにより行う。
【０００９】
本発明に係る電気泳動表示装置は、複数の電気泳動素子と、前記複数の電気泳動素子に第１の画像を表す第１の画像データを書き込むことにより前記複数の電気泳動素子に前記第１の画像を表示させる第１の書込みと、前記複数の電気泳動素子に第２の画像を表す第２の画像データを書き込むことにより前記複数の電気泳動素子に前記第２の画像を表示させる第２の書込みとの間で、前記複数の電気泳動素子を、前記第１の書込みに起因する残像が存在せずかつ非表示である第１の非表示状態に設定するための電圧である無残像非表示用電圧より小さい第１の電圧を前記複数の電気泳動素子に印加する第１のリセットを行い、前記複数の電気泳動素子を前記第１の非表示状態に設定すべく、前記第１のリセットを行う頻度より低い頻度で、前記無残像非表示用電圧である第２の電圧を前記複数の電気泳動素子に印加する第２のリセットを行う制御部とを含む。
【００１０】
上記した本発明に係る電気泳動表示装置では、前記残像の消去が必要である旨を入力するための入力部を更に含み、前記制御部は、前記入力部から前記残像の消去が必要である旨が入力されたとき、前記第２のリセットを行う。
【００１１】
本発明に係る記憶性表示装置は、複数の記憶性素子と、前記複数の記憶性素子に第１の画像を表す第１の画像データを書き込むことにより前記複数の記憶性素子に前記第１の画像を表示させる第１の書込みと、前記複数の記憶性素子に第２の画像を表す第２の画像データを書き込むことにより前記複数の記憶性素子に前記第２の画像を表示させる第２の書込みとの間で、前記複数の記憶性素子を、前記第１の書込みに起因する残像が存在せずかつ非表示である第１の非表示状態に設定するための電圧である無残像非表示用電圧より小さい第１の電圧を前記複数の記憶性素子に印加する第１のリセットを行い、前記複数の記憶性素子を前記第１の非表示状態に設定すべく、前記第１のリセットを行う頻度より低い頻度で、前記無残像非表示用電圧である第２の電圧を前記複数の記憶性素子に印加する第２のリセットを行う制御部とを含む。
【発明を実施するための最良の形態】
【００１２】
本発明に係る電気泳動表示装置及びその駆動方法の実施例について図面を参照して説明する。
【００１３】
《構成》
図１は、本発明に係る電気泳動表示装置の実施例の構成を示す。実施例の記憶性表示装置である電気泳動表示装置Ｄは、記憶性を有する素子である複数の電気泳動素子に画像データを書き込むことにより、当該複数の電気泳動素子に、前記画像データに対応する”白”又は”黒”により特定される画像を表示させると共に、当該複数の電気泳動素子から、前記画像データの書き込みに起因する残像を前記書き込みに同期して消去しようとするリセット（以下、「通常リセット」という。）、及び前記残像を前記書き込みと非同期にかつ低頻度で消去するリセット（以下、「強制リセット」という。）を行うべく、図１に示されるように、表示ユニット１と、表示制御ユニット２と、装置制御ユニット３と、入力ユニット４とを含む。ここで、通常リセットは、第１のリセットに対応し、強制リセットは、第２のリセットに対応する。
【００１４】
表示ユニット１は、図１に示されるように、前記複数の電気泳動素子を有する表示部１０と、表示制御ユニット２の制御下で表示部１０のオン／オフを制御するためのゲートドライバ１１と、表示制御ユニット２の制御下で表示部１０に前記画像データを書き込むためのソースドライバ１２とからなる。
【００１５】
図２は、表示部の構成を示す回路図である。表示部１０は、図２に示されるように、複数のソース線（ソース電極）Ｓ１〜Ｓｍ（ｍは、２以上の任意の整数）と複数のゲート線（ゲート電極）Ｇ１〜Ｇｎ（ｎは、２以上の任意の整数）とがマトリックス状に交差する位置に、電気泳動素子Ｐ１１〜Ｐｍｎと、保持容量ＨＣ１１〜ＨＣｍｎと、薄膜トランジスタＴＲ１１〜ＴＲｍｎとを有する。より詳細には、例えば、交差位置ＣＰ１１では、電気泳動素子Ｐ１１及び保持容量ＨＣ１１は、並列接続されており、電気泳動素子Ｐ１１の画素電極ＰＥ１１は、薄膜トランジスタＴＲ１１のドレイン電極に接続されており、電気泳動素子Ｐ１１〜Ｐｍｎに共用される共通電極ＣＥは、接地電位に接続されており、薄膜トランジスタＴＲ１１のゲート電極は、ゲート線Ｇ１に接続されており、薄膜トランジスタＴＲ１１のソース電極は、ソース線Ｓ１に接続されている。
【００１６】
表示部１０は、例えば、従来知られた点順次駆動方式又は線順次駆動方式に基づき駆動され、例えば、電気泳動素子Ｐ１１については、図１に図示のゲートドライバ１１によりゲート線Ｇ１から印加されるゲート信号により、薄膜トランジスタＴＲ１１がオンに起動されると共に、図１に図示のソースドライバ１２によりソース線Ｓ１から印加される前記画像データの信号により、当該画像データが保持容量ＨＣ１１に蓄積され、保持容量ＨＣ１１に規定される画像データの電圧の大きさに従って、電気泳動素子Ｐ１１の状態が、前記画像データに対応する”白”又は”黒”に遷移する。
【００１７】
図３は、表示部の構造を示す。表示部１０は、図３に示されるような従来知られた構造を有しており、その裏面側（ユーザが視認することができない側）に設けられたＴＦＴ(Thin Film Transistor)基板１００上に、例えば、ゲート線Ｇ１に対応する画素電極ＰＥ１１、ＰＥ２１、ＰＥ３１．．．、ＰＥｍ１が一列に配置されいる。当該画素電極ＰＥ１１、ＰＥ２１、ＰＥ３１、、、ＰＥｍ１、及び他の画素電極ＰＥ１２〜ＰＥｍｎに対向する表面側（ユーザが視認することができる側）には、保護膜１０２により保護された共通電極ＣＥが形成されている。画素電極ＰＥ１１、ＰＥ２１、ＰＥ３１．．．、ＰＥｍ１及び共通電極ＣＥ間には、電気泳動素子Ｐ１１、Ｐ２１、Ｐ３１、、、Ｐｍ１が、充填剤であるバインダ１０１により固定された状態で設けられている。
【００１８】
図４は、電気泳動素子の構造及び状態を示す断面図であり、詳細には、図４（Ａ）は、”黒”を表示する電気泳動素子の状態を示し、図４（Ｂ）は、”白”を表示する電気泳動素子の状態を示す。電気泳動素子Ｐ１１〜Ｐｍｎは、図４（Ａ）、（Ｂ）に示されるように、マイクロカプセル化されている。電気泳動素子Ｐ１１〜Ｐｍｎは、より詳しくは、カプセル壁ＣＷとしてのポリマー膜内に、芯物質として、プラス（＋）に帯電した黒顔料粒子ＢＧ及びマイナス（−）に帯電した白顔料粒子ＷＧを有し、黒顔料粒子ＢＧ及び白顔料粒子ＷＧは、外部から与えられる電界により規定されるカプセル壁ＣＷ内での位置状態を、分散媒ＤＭにより安定的に維持される。
【００１９】
電気泳動素子Ｐ１１〜Ｐｍｎは、”黒”を表示しようとするときには、図４（Ａ）に示されるように、裏面側から表面側への電界Ｅ１を与えられ、これを契機に、プラス（＋）に帯電している黒顔料粒子ＢＧは、カプセル壁ＣＷ内において表面側に近付くように移動すると共に、マイナス（−）に帯電している白顔料粒子ＷＧは、カプセル壁ＣＷ内において裏面側に近付くように移動する。このようにして、電気泳動素子Ｐ１１〜Ｐｍｎは、表面側に”黒”を表示することから、ユーザは、”黒”を認識することができる。
【００２０】
他方で、電気泳動素子Ｐ１１〜Ｐｍｎは、”白を”表示しようとするときには、図４（Ｂ）に示されるように、表面側から裏面側への電界Ｅ２を与えられ、これを契機として、白顔料粒子ＷＧは、表面側に近付くように移動すると共に、黒顔料粒子ＢＧは、裏面側に近付くように移動する。このようにして、電気泳動素子Ｐ１１〜Ｐｍｎは、表面側に”白”を表示することから、ユーザは、表面側に現れる”白”を認識することができる。
【００２１】
図１に戻り、表示制御ユニット２は、表示ユニット１の動作を制御すべく、図１に示されるように、信号処理回路２０と、階調制御回路２１と、共通電極駆動回路２２とを有する。
【００２２】
信号処理回路２０は、装置制御ユニット３から受け取る画像信号、クロック信号、周期信号等の各種の信号に基づき、表示ユニット１内のゲートドライバ１１及びソースドライバ１２が表示部１０に画像を表示させるために必要なゲート信号及び画像データについての処理を行い、当該ゲート信号をゲートドライバ１１へ出力すると共に、当該処理後の画像データをソースドライバ１２へ出力する。
【００２３】
階調制御回路２１は、装置制御ユニット３から受け取る画像データから、当該画像データの階調を修正又は変更するための階調信号を生成し、当該階調信号をソースドライバ１２へ出力する。
【００２４】
共通電極駆動回路２２は、図２に図示の共通電極ＣＥに印加すべき電圧の大きさを制御し、より詳細には、電気泳動素子Ｐ１１〜Ｐｍｎを駆動する駆動方式の種類に応じて、例えば、接地電位に固定すること、又は任意の電位を印加することを行う。
【００２５】
装置制御ユニット３は、表示制御ユニット２による表示ユニット１の動作の制御のために必要な信号及びデータ、例えば、画像データを表示制御ユニット２に供給すべく、画像メモリ３０と、装置制御回路３１とを有する。画像メモリ３０は、表示ユニット１内の表示部１０に表示させるべき画像データを記憶する。装置制御回路３１は、電気泳動表示装置Ｄの動作を全体的に制御する機能を有し、具体的には、画像メモリ３０から当該画像メモリ３０に記憶されている画像データを読み出し、当該読み出した画像データを表示制御ユニット２内の信号処理回路２０及び階調制御回路２１に出力し、また、電気泳動素子Ｐ１１〜Ｐｍｎの駆動方式の種類に対応する制御信号を表示制御ユニット２内の共通電極駆動回路２２に出力し、共通電極駆動回路２２は、当該制御信号に従って、共通電極ＣＥに印加すべき電圧を規定する。
【００２６】
装置制御回路３１は、また、入力ユニット４から受け取る、残像の消去に関するリセット信号に従って、後述されるように、表示制御ユニット２に、電気泳動素子Ｐ１１〜Ｐｍｎの通常リセット及び強制リセットを実施させ、また、必要に応じて、表示制御ユニット２に、当該通常リセット又は強制リセットに加えて電気泳動素子Ｐ１１〜Ｐｍｎへの画像データの書き込みを実施させる。
【００２７】
入力ユニット４は、ユーザによる残像の視認又は残像検出回路（図示せず）による残像の検出の結果に基づき、電気泳動素子Ｐ１１〜Ｐｍｎをどのような強制リセットを行うか、即ち、強制リセットの種類を決定するために用いられ、当該決定のための白スイッチ４０と、黒スイッチ４１と、書換スイッチ４２とを有する。
【００２８】
白スイッチ４０は、電気泳動素子Ｐ１１〜Ｐｍｎの全てを”白”状態に設定する、即ち、白リセットを行う旨を入力するために用いられ、黒スイッチ４１は、電気泳動素子Ｐ１１〜Ｐｍｎの全てを”黒”状態に設定する、即ち、黒リセットを行う旨を入力するために用いられ、書換スイッチ４２は、強制リセットを行った後に画像データの書き込みを行う旨を入力するために用いられる。
【００２９】
図５は、”黒”を表示するときに電気泳動素子に印加する電圧を示し、図６は、通常リセット及び強制リセットのときに電気泳動素子に印加する電圧を示す。電気泳動素子Ｐ１１〜Ｐｍｎの任意の一つ、例えば、電気泳動素子Ｐ１１に”黒”を表示させようとするときには、図５に示されるように、図２に図示の共通電極ＣＥに零電圧（接地電圧）を印加すると共に、図２に図示の画素電極ＰＥ１１に電圧ＶLを印加し、即ち、電気泳動素子Ｐ１１に、図４（Ａ）に図示の電界Ｅ１を与える。
【００３０】
他方で、電気泳動素子Ｐ１１〜Ｐｍｎの全てを”黒”状態にリセットするとき、即ち、通常黒リセットのときには、共通電極ＣＥに電圧−ＶLを印加すると共に、画素電極ＰＥ１１〜ＰＥｍｎに零電圧を印加し、即ち、電気泳動素子Ｐ１１〜Ｐｍｎの全てに、図４（Ａ）に図示の電界Ｅ１を与えることにより、電気泳動素子Ｐ１１〜Ｐｍｎを”黒”状態にリセットする。
【００３１】
対照的に、電気泳動素子Ｐ１１〜Ｐｍｎの全てを”白”状態にリセットするとき、即ち、通常白リセットのときには、共通電極ＣＥに電圧ＶLを印加すると共に、画素電極ＰＥ１１〜ＰＥｍｎに零電圧を印加し、即ち、電気泳動素子Ｐ１１〜Ｐｍｎの全てに、図４（Ｂ）に図示の電界Ｅ２を与えることにより、電気泳動素子Ｐ１１〜Ｐｍｎを”白”状態にリセットする。
【００３２】
ここで、電圧ＶLの絶対値は、電気泳動素子Ｐ１１〜Ｐｍｎを残像が存在せずかつ非表示な状態にするために必要な無残像非表示用電圧である電圧ＶHの絶対値より小さいことから、上記した通常黒リセット及び通常白リセットを行っても、画像データの書き込みに起因した残像が存在し得る。
【００３３】
強制リセットについては、電気泳動素子Ｐ１１〜Ｐｍｎの全てを”黒”状態に強制的にリセットするとき、即ち、強制黒リセットのときには、共通電極ＣＥに、絶対値が無残像非表示用電圧と等しい電圧−ＶHを印加すると共に、画素電極ＰＥ１１〜ＰＥｍｎに零電圧を印加し、即ち、電気泳動素子Ｐ１１〜Ｐｍｎの全てに、図４（Ａ）に図示の電界Ｅ１と同じ方向であって電界Ｅ１より大きい電界を与えることにより、電気泳動素子Ｐ１１〜Ｐｍｎを、残像が存在せずかつ非表示である真っ黒な状態に強制的にリセットする。
【００３４】
他方で、電気泳動素子Ｐ１１〜Ｐｍｎの全てを”白”状態に強制的にリセットするときには、即ち、強制白リセットのときには、共通電極ＣＥに、絶対値が無残像非表示用電圧と等しい電圧ＶHを印加すると共に、画素電極ＰＥ１１〜ＰＥｍｎに零電圧を印加し、即ち、電気泳動素子Ｐ１１〜Ｐｍｎの全てに、図４（Ｂ）に図示の電界Ｅ２と同じ方向であって電界Ｅ２より大きい電界を与えることにより、電気泳動素子Ｐ１１〜Ｐｍｎを、残像が存在せずかつ非表示である真っ白な状態に強制的にリセットする。
【００３５】
ここで、通常黒リセット及び強制黒リセットのときに、図５に図示の”黒”の書き込みと異なり、画素電極ＰＥ１１に零電圧を印加するのであって電圧ＶL又は電圧ＶHを印加しない理由は、画素電極ＰＥ１１を零電圧以外の電圧に維持することが容易でないためである。
【００３６】
《動作》
図７、図８は、実施例の電気泳動表示装置の動作を示すフローチャート及びタイミングチャートである。以下、実施例の電気泳動表示装置の動作を図７のフローチャート及び図８のタイミングチャートに沿って説明する。説明及び理解を容易にすべく、電気泳動素子Ｐ１１〜Ｐｍｎは、”白”い背景に”黒”で描画されることを想定し、及び、図８に図示の画像データＤ１を書き込まれており、当該画像データＤ１を表示していることを想定する。
【００３７】
工程Ｓ１：表示制御ユニット２内の信号処理回路２０は、装置制御ユニット３内の装置制御回路３１から、画像データＤ１に引き続く、図８に図示された画像データＤ２を表示すべき旨の命令信号（図示せず）を受けると、電気泳動素子Ｐ１１〜Ｐｍｎに通常白リセットを施すべく、図６に示されるように、共通電極ＣＥに電圧ＶLを印加すると共に、画素電極ＰＥ１１〜ＰＥｍｎに零電圧を印加する。当該通常白リセットに後続して、信号処理回路２０は、装置制御ユニット３内の画像メモリ３０から画像データＤ２を読み出し、当該画像データＤ２を表示するために用いるゲート信号を生成した後、画像データＤ２及び当該ゲート信号をソースドライバ１２及びゲートドライバ１１へ出力する。
【００３８】
工程Ｓ２：装置制御ユニット３内の装置制御回路３１は、電気泳動表示装置Ｄによる画像の表示動作を終了するための外部スイッチ（図示せず）から、表示動作の終了の旨を示す信号が入力されているか否かを確認し、その旨が入力されているときには、電気泳動素子Ｐ１１〜Ｐｍｎによる画像データＤ２の表示を終了し、他方で、その旨が入力されていないときには、そのまま、画像データＤ２の表示を続ける。
【００３９】
工程Ｓ３：装置制御ユニット３内の装置制御回路３１は、入力ユニット４から白スイッチ４０、黒スイッチ４１、書換スイッチ４２の操作による、強制リセットに関する入力、即ち、強制リセットの指示があるか否かを判断する。装置制御回路３１は、強制リセットの指示があると判断するときには、強制リセットの処理を行う。
【００４０】
工程Ｓ４：信号処理回路２０は、入力ユニット４から入力される強制リセットの種類に対応して、以下の強制リセットの処理を行う。
【００４１】
工程Ｓ４−１：白スイッチ４０の操作による”強制白リセット”の旨が入力されると、装置制御回路３１は、”強制白リセット”の実行の旨を信号処理回路２０に通知し、当該通知に応答して信号処理回路２０は、図８中の工程Ｓ４における実線で示されるタイミングで、図６に示されるように、共通電極ＣＥに印加すべき電圧ＶH及び画素電極ＰＥ１１〜ＰＥｍｎに印加すべき零電圧をゲートドライバ１１及びソースドライバ１２に出力し、所定時間の間、当該出力している状態を維持した後、共通電極ＣＥに零電圧を印加する。
【００４２】
工程Ｓ４−２：黒スイッチ４１の操作による”強制黒リセット”の旨が入力されると、装置制御回路３１は、”強制黒リセット”の実行の旨を信号処理回路２０に通知し、当該通知に応答して信号処理回路２０は、図８中の工程Ｓ４における実線で示されるタイミングで、図６に示されるように、共通電極ＣＥに印加すべき電圧−ＶH及び画素電極ＰＥ１１〜ＰＥｍｎに印加すべき零電圧をゲートドライバ１１及びソースドライバ１２に出力し、工程Ｓ４−１と同様に所定時間の間の保持の後、共通電極ＣＥに零電圧を印加する。
【００４３】
工程Ｓ４−３：書換スイッチ４２の操作による”強制リセット及び画像データの書き込み”の旨が入力されると、装置制御回路３１は、”強制リセット及び画像データの書き込み”の実行の旨を信号処理回路２０に通知し、当該通知に応答して信号処理回路２０は、”強制白リセット”の場合と同様に、図８中の工程Ｓ４における実線で示されるタイミングで、図６に示されるように、共通電極ＣＥに印加すべき電圧ＶH及び画素電極ＰＥ１１〜ＰＥｍｎに印加すべき零電圧をゲートドライバ１１及びソースドライバ１２に出力し、前記所定時間の保持後、共通電極に零電圧を印加することにより、電気泳動素子ＰＥ１１〜ＰＥｍｎに強制白リセットを施す。
【００４４】
信号処理回路２０は、さらに、当該強制白リセットに引き続き、図８中の工程Ｓ４における点線で示されるタイミングで、先行する工程Ｓ１で電気泳動素子Ｐ１１〜Ｐｍｎに書き込んだ画像データである画像データＤ２を、図５に示されるような、共通電極ＣＥに印加すべき零電圧及び画素電極ＰＥ１１〜ＰＥｍｎのうち、画像データＤ２により規定される”黒”を表示すべき画素電極ｉｊ（ｉは、１〜ｍの範囲の任意の整数、ｊは、１〜ｎの範囲の任意の整数）に電圧ＶLを印加すべくゲートドライバ１１及びソースドライバ１２を制御し、所定時間の間の出力の保持の後に共通電極ＣＥに零電圧を印加し、ゲートドライバ１１及びソースドライバ１２は、電気泳動素子ＰＥ１１〜ＰＥｍｎに、画像データＤ２を再度表示させる。
【００４５】
工程Ｓ１：信号処理回路２０は、上述した強制リセットの処理を終了すると、工程Ｓ１に復帰して画像データＤ２に引き続く画像データＤ３の表示のための処理を行う。
【００４６】
《効果》
上述したように、実施例の電気泳動表示装置Ｄでは、入力ユニット４内の白スイッチ４０、黒スイッチ４１、又は書換スイッチ４２の操作により入力される、強制白リセット、強制黒リセット、又は強制書き換えの旨に応答すべく、装置制御ユニット３内の装置制御回路３１の制御下で、表示制御ユニット２内の信号処理回路２０が、表示ユニット１内のゲートドライバ１１及びソースドライバ１２を介して、電気泳動素子ＰＥ１１〜ＰＥｍｎに、従来の通常リセットで用いられていた電圧より低い電圧ＶLで、即ち、残像の消去の観点から劣位である低い電圧ＶLで通常リセットを行い、他方で、従来の通常リセットで用いられていた前記電圧より高い電圧ＶH、即ち、残像の消去の観点から優位である高い電圧ＶHを用いしかも従来の通常リセットの頻度より低い頻度の強制リセットを施す。これにより、従来の電気泳動表示装置に比較して消費電力を低減しつつ、従来の電気泳動表示装置と同様な程度に電気泳動素子ＰＥ１１〜ＰＥｍｎにおける残像の消去を行うことが可能となる。
【００４７】
〈変形例〉
上記した工程Ｓ４−３での強制書き換えにおいて、「強制白リセット」の後に「書き込み」を行うこと、又は「強制黒リセット」の後に「書き込み」を行うことに代えて、「強制白リセット」の後に更に「強制黒リセット」を行った後に「書き込み」を行うこと、又は「強制黒リセット」の後に更に「強制白リセット」を行った後に「書き込み」を行う、換言すれば、「書き込み」に先立ち「強制黒リセット」及び「強制白リセット」の両リセットを行うことにより、上記した実施例の電気泳動表示装置Ｄが残像を消去することができる程度以上に残像を効果的に消去することが可能となる。
【００４８】
上記した工程Ｓ４での画像データＤ２の書き込みに代えて、後続する画像データＤ３の書き込みを行うことによっても、上記したと同様な効果を得ることができる。
【図面の簡単な説明】
【００４９】
【図１】電気泳動表示装置の実施例の構成を示すブロック図。
【図２】実施例の表示部の構成を示す回路図。
【図３】実施例の表示部の構造を示す断面図。
【図４】実施例の電気泳動素子の構造及び状態を示す断面図。
【図５】黒を表示するときの電圧を示す図。
【図６】通常リセット及び強制リセットのときに印加する電圧を示す図。
【図７】実施例の電気泳動表示装置の動作を示すフローチャート。
【図８】実施例の電気泳動表示装置の動作をタイミングチャート。
【符号の説明】
【００５０】
Ｄ  電気泳動表示装置    １  表示ユニット    ２  表示制御ユニット    ３  装置制御ユニット    ４  入力ユニット    ３１  装置制御回路    ４０  白スイッチ    ４１  黒スイッチ    ４２  書換スイッチ。
【図１】
2005283820.tif 000003
【図２】
2005283820.tif 000004
【図３】
2005283820.tif 000005
【図４】
2005283820.tif 000006
【図５】
2005283820.tif 000007
【図６】
2005283820.tif 000008
【図７】
2005283820.tif 000009
【図８】
2005283820.tif 000010